(57)【要約】【課題】操作パネルの傾斜角を連続的に変化させることができ、且つ、操作者の入力操作にともなう操作パネルの傾斜角の変化を簡単な構成で十分に防止できる操作ユニットを提供する。【解決手段】操作パネル３０は、パネル取付シャフト１００に取り付けている。モータ３５ａが、パネル取付シャフト１００を回転させる駆動力を発生する。モータ駆動部３５が、モータ３５ａの駆動を制御する。モータ３５ａが、パネル取付シャフト１００を回転させることで、このパネル取付シャフト１００に取り付けた操作パネル３０が回転し、操作パネル３０の傾斜角が変化する。パネル取付シャフト１００と、モータ３５ａの回転軸との間には、双方向クラッチ１２０を配置している。【選択図】図１
2014170338.tif 000002
【特許請求の範囲】
【請求項１】
操作パネルを取り付けるパネル取付シャフトと、
前記パネル取付シャフトを回転させる駆動力を発生するモータを駆動するモータ駆動部と、
前記パネル取付シャフトと、前記モータの回転軸と、の間に配置した双方向クラッチと、備えた操作ユニット。
【請求項２】
前記パネル取付シャフトにギアを介して連結したリンクシャフトを備え、
前記双方向クラッチは、前記リンクシャフトと、前記モータの回転軸との間に配置している、請求項１に記載の操作ユニット。
【請求項３】
前記モータ駆動部は、前記モータを駆動しているときに、前記操作パネルに対する操作が検出された場合、前記モータの駆動を停止する、請求項１、または２に記載の操作ユニット。
【請求項４】
前記操作パネルとともに前記パネル取付シャフトに取り付け、前記操作パネルの正面を撮像する撮像部を備え、
前記モータ駆動部は、前記撮像部が撮像した撮像画像上における、操作者の顔の位置に応じて前記モータの回転量を制御する、請求項１〜３のいずれかに記載の操作ユニット。
【請求項５】
前記モータ駆動部は、前記モータの回転量を制御し、前記撮像部が撮像した撮像画像上における操作者の顔の高さを、この撮像画像上に設定している高さに合わせる、請求項４に記載の操作ユニット。
【請求項６】
請求項１〜５のいずれかに記載の操作ユニットを備えた自動機であって、
前記操作ユニットの前記操作パネルにおける入力操作に応じた処理を行う処理部を備えた自動機。
【発明の詳細な説明】
【技術分野】
【０００１】
この発明は、操作者が操作パネル上で入力操作を行う操作ユニット、および、この操作ユニットを備える自動機に関する。
【背景技術】
【０００２】
従来、操作者であるユーザに合わせて、操作パネルの傾斜角を変化させるものがあった（特許文献１等参照）。この特許文献１では、操作パネルに取り付けた撮像装置でユーザの顔を撮像し、撮像画像上におけるユーザの顔の位置に応じて、操作パネルの傾斜角を自動的に調節している。
【０００３】
なお、操作パネルの傾斜角をユーザが手動で調節する構成のものもある。
【先行技術文献】
【特許文献】
【０００４】
【特許文献１】特開２０１０−１４９４１４号公報
【発明の概要】
【発明が解決しようとする課題】
【０００５】
しかしながら、操作者であるユーザは、操作パネルの操作面に設けられたキーや、操作パネルの操作面に設けられた表示器（操作画面を表示する表示器）の画面上に貼付されたタッチパネル等を押下することで、入力操作を行う。このため、操作パネルは、ユーザの入力操作にともなう押圧力が作用し、操作パネルの傾斜角が押圧された方向に変化することがあった。
【０００６】
操作パネルの傾斜角を段階的に変化させる構成であれば、傾斜角の段階毎に操作パネルを保持する係止部材を追加的に設けることで、ユーザの入力操作にともなう操作パネルの傾斜角の変化をある程度防止できるのであるが、傾斜角を連続的に変化させる構成である場合、このような係止部材を設けることができない。上述の係止部材は、操作パネルの傾斜角を段階的に係止するものであるので、操作パネルの傾斜角を連続的に係止することができない。
【０００７】
この発明の目的は、操作パネルの傾斜角を連続的に変化させることができ、且つ、操作者の入力操作にともなう操作パネルの傾斜角の変化を簡単な構成で十分に防止できる操作ユニット、およびこの操作ユニットを具備する自動機を提供することにある。
【課題を解決するための手段】
【０００８】
この発明の操作ユニットは、上記目的を達するために、以下のように構成している。
【０００９】
操作パネルは、パネル取付シャフトに取り付けている。操作パネルは、操作面にキーを設けたものであってもよいし、操作面に設けられた表示器（操作画面を表示する表示器）の画面上にタッチパネルを貼付したものであってもよい。
【００１０】
モータが、パネル取付シャフトを回転させる駆動力を発生する。このモータは、ＤＣモータであってもよいし、パルスモータであってもよい。モータ駆動部が、モータの駆動を制御する。モータが、パネル取付シャフトを回転させることで、このパネル取付シャフトに取り付けた操作パネルが回転し、操作パネルの傾斜角が変化する。操作パネルは、モータの回転軸の回転量に応じて傾斜角が変化するので、その傾斜角を連続的に変化させることができる。
【００１１】
また、パネル取付シャフトと、モータの回転軸との間には、双方向クラッチを配置している。双方向クラッチは、例えば特開２０１２−１３２３６号公報等で開示されているように、入力軸に与えられた動力（モータの回転軸の回転力）を出力軸（パネル取付シャフト側）に伝達し、反対に出力軸に与えられた動力（パネル取付シャフトの回転力）を遮断し、入力軸に伝達しない動力伝達機構部品である。したがって、操作者が、操作パネルの操作面を押下したときに、その押圧力に応じてパネル取付シャフトに作用した回転力は双方向クラッチにより遮断され、モータの回転軸に伝達されない。このため、操作者が、操作パネルの操作面を押下したときに、モータの回転軸が回転するのを十分に防止できる。このように、操作者の入力操作にともなう操作パネルの傾斜角の変化を、パネル取付シャフトと、モータの回転軸との間に双方向クラッチを配置するという簡単な構成で十分に防止できる。
【００１２】
また、操作パネルの操作面が押下されたことにより、双方向クラッチの出力軸に作用する回転力（逆入力）を抑え、双方向クラッチが破損するのを防止するために、以下に示すリンクシャフトを備える構成とするのが好ましい。
【００１３】
このリンクシャフトは、パネル取付シャフトにギアを介して連結する。また、双方向クラッチは、リンクシャフトと、モータの回転軸との間に配置する。
【００１４】
また、モータ駆動部は、モータを駆動しているときに、操作パネルに対する操作が検出された場合、モータの駆動を停止する構成にしてもよい。このように構成すれば、操作パネルの傾斜角を自動的に変化させているときに、操作者が自分にあった操作角に達したときに、モータの駆動（すなわち、操作パネルの傾斜角の変化）を簡単に停止できる
また、操作パネルとともに前記パネル取付シャフトに取り付け、操作パネルの正面を撮像する撮像部を備え、撮像部が撮像した撮像画像上における操作者の顔の位置に応じて、モータ駆動部がモータの回転量を制御する構成としてもよい。
【００１５】
この場合、モータ駆動部は、例えば、モータの回転量を制御し、撮像部が撮像した撮像画像上における操作者の顔の高さを、この撮像画像上に設定している高さに合わせる構成にすればよい。
【００１６】
これにより、操作者の顔の位置に応じて、操作パネルの傾斜角を自動的に調整することができる。また、この場合、撮像部が備える撮像素子の撮像面は、その傾斜角が操作パネルの操作面の傾斜角と略同じになるように取り付けるのがよい。
【００１７】
また、この発明にかかる自動機は、上述の操作ユニットを備え、操作パネルにおける入力操作に応じた処理を行う。この自動機は、例えば無線通信機能を有する非接触媒体に対して価値を付与するチャージ処理を行うチャージ機や、チケットを発券する発券機や、金融機関に開設されている口座に対する入出金取引等を処理する現金自動預け払い機（ＡＴＭ）である。
【発明の効果】
【００１８】
この発明によれば、操作パネルの傾斜角を連続的に変化させることができ、且つ、操作者の入力操作にともなう操作パネルの傾斜角の変化を簡単な構成で十分に防止できる。
【図面の簡単な説明】
【００１９】
【図１】チャージ機の外観を示す図である。
【図２】チャージ機の外観を示す図である。
【図３】チャージ機の外観を示す図である。
【図４】チャージ機の主要部の構成を示すブロック図である。
【図５】操作ユニットの主要部の構成を示すブロック図である。
【図６】チャージ機に対する操作パネルの取り付けを示す斜視図である。
【図７】モータ、駆動シャフト、双方向クラッチ、第１の連結シャフトの分解斜視図である。
【図８】モータの回転力の伝達を説明する概略平面図である。
【図９】チャージ処理を示すフローチャートである。
【図１０】傾斜角調整処理を示すフローチャートである。
【発明を実施するための形態】
【００２０】
以下、この発明の実施形態について説明する。ここでは、この発明の実施形態にかかる操作ユニットを具備するチャージ機（この発明で言う自動機に相当する。）を例にして説明する。
【００２１】
図１、図２、および図３は、チャージ機の外観を示す図である。図１、図２、および図３では、操作パネルの傾斜角が異なっている。図４は、チャージ機の主要部の構成を示すブロック図である。この例にかかるチャージ機１は、主制御ユニット２と、操作ユニット３と、媒体処理ユニット４と、紙幣処理ユニット５と、通信ユニット７と、を備えている。
【００２２】
チャージ機１は、近接型の無線通信機能を有する非接触ＩＣカードや、携帯端末等（以下、総称してチャージ媒体と言う。）に対して、価値を付与するチャージ処理を行う。チャージ媒体には、乗車券として使用できるものや、店舗における取引金額の精算に使用できるものなどがある。
【００２３】
主制御ユニット２は、チャージ機１が備える各ユニットの動作を制御する。
【００２４】
操作ユニット３は、操作者による入力操作を受け付ける操作パネル３０を有する。この操作パネル３０は、操作者に対して操作画面を表示する表示器３０ａの画面上にタッチパネル３０ｂを貼付している。この操作ユニット３の詳細については後述するが、図１〜図３に示すように、操作パネル３０の傾斜角を連続的に変化させることができる。図２は、操作パネル３０を背面側に倒した状態であり、比較的背が高い（顔の位置が高い）操作者が操作しやすい傾斜角である。また、図３は、操作パネル３０を正面側に倒した状態であり、比較的背が低い（顔の位置が低い）操作者が操作しやすい傾斜角である。図１は、操作パネル３０の傾斜角が図２と図３との中間である状態を示している。
【００２５】
なお、操作パネル３０は、操作面に複数のキーを設けた構成であってもよい。
【００２６】
媒体処理ユニット４は、チャージ機１本体の正面に設けたチャージ媒体載置台４１に載置されたチャージ媒体との無線通信により、このチャージ媒体が記憶する媒体情報の読み取りや、このチャージ媒体に対する媒体情報の書き換えを行う。媒体処理ユニット４の無線通信エリアは、チャージ媒体載置台４１の数ｃｍ（２〜３ｃｍ）周辺であり、チャージ媒体載置台４１に載置されたチャージ媒体と無線通信が行える構成である。媒体処理ユニット４は、チャージ媒体との無線通信エリアを制限しているので、チャージ機１本体周辺を通行している人が所持しているチャージ媒体と無線通信を行うことはない。
【００２７】
紙幣処理ユニット５は、本体正面に設けた紙幣投入口５１に投入された紙幣（入金紙幣）を受け付けるとともに、本体正面に設けた紙幣放出口５２に釣銭等にかかる紙幣（出金紙幣）を放出する。紙幣処理ユニット５は、入金紙幣や、出金紙幣について、その金種や真偽を識別する紙幣識別部（不図示）を有する。また、紙幣処理ユニット５は、金種別に紙幣を収納する紙幣カートリッジ（不図示）を有する。紙幣投入口５１、紙幣放出口５２、紙幣識別部、紙幣カートリッジは、紙幣を搬送する紙幣搬送路で結ばれている。
【００２８】
明細票発行ユニット６は、チャージ媒体に対して行ったチャージ処理にかかる内容を印字した明細票等を発行する。明細票発行ユニット６は、明細票をチャージ機１本体の正面に設けた明細票放出口６１に放出する。
【００２９】
通信ユニット７は、図示していない上位装置との間における通信を行う。チャージ機１は、上位装置に対して、実行したチャージ処理の処理内容だけでなく、必要に応じて、チャージ処理を行うチャージ媒体の有効／無効にかかる問い合わせや、本体における障害の発生通知等も行う。
【００３０】
次に、この発明の実施形態にかかる操作ユニットについて説明する。図５は、操作ユニットの主要部の構成を示すブロック図である。
【００３１】
操作ユニット３は、制御部３１と、操作パネル３０と、表示部３２と、入力操作検出部３３と、画像処理部３４と、モータ駆動部３５と、を備えている。操作パネル３０は、上述したように、表示器３０ａ、およびタッチパネル３０ｂを有する。
【００３２】
制御部３１は、操作ユニット３が備える各部の動作を制御するとともに、主制御ユニット２との間における入出力を行うためのインタフェースを有する。
【００３３】
表示部３２は、操作パネル３０の表示器３０ａにおける画面表示を制御する。
【００３４】
入力操作検出部３３は、操作パネル３０のタッチパネル３０ｂが押下された位置を検出し、検出した位置に基づいて、操作者の入力操作を判断する。
【００３５】
画像処理部３４は、カメラ３４ａを有し、このカメラ３４ａが撮像した画像を処理する。カメラ３４ａは、操作パネル３０の枠体に取り付けており、操作パネル３０の傾斜角の変化に応じて、撮像面（撮像素子の受光面）の傾斜角が変化するように構成している。カメラ３４ａの撮像面（撮像素子の受光面）は、操作パネル３０の操作面（表示器３０ａの画面）に対して略平行である。カメラ３４ａは、操作パネル３０の正面を撮像する向きに取り付けている。また、ここでは（図１〜図３では）、カメラ３４ａを表示器３０ａの画面下側の略中央に取り付けた例を示しているが、表示器３０ａの画面上側の略中央に取り付けてもよいし、表示器３０ａの画面の左側や右側に取り付けてもよい。
【００３６】
モータ駆動部３５は、モータ３５ａを有し、このモータ３５ａの回転を制御する。モータ３５ａは、ＤＣモータであってもよいし、パルスモータであってもよい。モータ３５ａは、操作パネル３０の傾斜角を変化させる駆動源である。モータ駆動部３５は、モータ３５ａの回転方向（操作パネル３０をチャージ機１本体正面側に傾斜させる正回転、または操作パネル３０をチャージ機１本体背面側に傾斜させる逆回転）の切り換えが行える。
【００３７】
図６は、チャージ機に対する操作パネルの取り付けを示す斜視図である。図６は、操作パネルの背面側を示している。
【００３８】
操作パネル３０は、パネル取付シャフト１００に取り付けている。操作パネル３０は、このパネル取付シャフト１００の回転にともなって回動し、操作面の傾斜角が変化する。
【００３９】
図７は、モータ、駆動シャフト、双方向クラッチ、第１の連結シャフトの分解斜視図である。モータ３５ａの回転軸には、駆動シャフト１１０が取り付けられている。駆動シャフト１１０は、モータ３５ａの回転軸とともに回転する。この駆動シャフト１１０は、チャージ機１本体に取り付けたアングル２００に形成した開口部に挿入している。駆動シャフト１１０の先端（モータ３５ａの回転軸と反対側）は、双方向クラッチ１２０の入力軸に接続している。
【００４０】
双方向クラッチ１２０は、アングル２００に固定している。また、双方向クラッチ１２０は、第１の連結シャフト１３０を出力軸に接続している。
【００４１】
また、第１の連結シャフト１３０の回転を、パネル取付シャフト１００に伝達するために第２の連結シャフト１４０を設けている。
【００４２】
図８は、モータの回転力の伝達を説明する概略平面図である。第１の連結シャフト１３０と、第２の連結シャフト１４０とは、ギア１３１、１４１で連結している。また、第２の連結シャフト１４０と、パネル取付シャフト１００は、ギア１４２、１０１で連結している。
【００４３】
モータ３５ａは、上述したように、回転軸に取り付けた駆動シャフト１１０を双方向クラッチ１２０の入力軸に接続しているので、モータ３５ａの回転軸の回転にともなって、双方向クラッチ１２０の入力軸が回転する。双方向クラッチ１２０は、特開２０１２−１３２３６号公報等で開示されているように、入力軸に入力された回転力（モータ３５ａの回転軸の回転力）を出力軸に伝達する。したがって、モータ３５ａの回転軸の回転力によって、双方向クラッチ１２０の出力軸に接続されている第１の連結シャフト１３０が回転する。
【００４４】
第１の連結シャフト１３０の回転力は、ギア１３１、１４１により第２の連結シャフト１４０に伝達され、この第２の連結シャフト１４０が回転する。さらに、第２の連結シャフト１４０の回転力は、ギア１４２、１０１によりパネル取付シャフト１００に伝達され、このパネル取付シャフト１００が回転する。そして、パネル取付シャフト１００の回転にともなって、操作パネル３０が回動し、操作面の傾斜角が変化する。
【００４５】
したがって、モータ３５ａの回転軸の回転を制御することにより、操作パネル３０の操作面の傾斜角を連続的に変化させることができる。また、モータ３５ａの回転軸の回転方向を切り換えることで、操作パネル３０をチャージ機１本体正面側に傾斜させることもできれば、チャージ機１本体背面側に傾斜させることもできる。
【００４６】
また、操作者が入力操作のために操作パネル３０の操作面を押下すると、操作パネル３０をチャージ機１本体背面側に傾斜させる向きの外力（回転力）が、パネル取付シャフト１００に作用する。この外力は、ギア１０１、１４２によりパネル取付シャフト１００から第２の連結シャフト１４０に伝達され、さらに、ギア１４１、１３１により第２の連結シャフト１４０から第１の連結シャフト１３０に伝達される。しかしながら、第１の連結シャフト１３０に伝達された外力は、双方向クラッチ１２０の出力軸に作用する。双方向クラッチ１２０は、出力軸に与えられた動力を遮断し、入力軸に伝達しない。したがって、操作者が入力操作のために操作パネル３０の操作面を押下したことにより生じた外力は、駆動シャフト１１０や、モータ３５ａの回転軸に伝達されない。このため、操作者が入力操作のために操作パネル３０の操作面をある程度の力で押下しても、パネル取付シャフト１００が回転し、操作パネル３０の操作面がチャージ機１本体背面側に回動し、操作パネル３０の傾斜角が変化するのを十分に防止できる。
【００４７】
また、操作者が入力操作のために操作パネル３０の操作面を押下したことにより生じた外力にともなって双方向クラッチ１２０の出力軸に作用する力は、第１の連結シャフト１３０と第２の連結シャフト１４０との連結に用いているギア１３１、１４１、および第２の連結シャフト１４０とパネル取付シャフト１００との連結に用いているギア１４２、１０１のギア比を調整することで、抑えられる。したがって、出力軸に過大な力が作用し、双方向クラッチ１２０が破損するのを防止できる。
【００４８】
なお、上記の例における駆動シャフト１１０を無くし、モータ３５ａの回転軸を双方向クラッチ１２０の入力軸に直接接続してもよい。また、第２の連結シャフト１４０を無くし、第１の連結シャフト１３０と、パネル取付シャフト１００と、をギアで連結してもよいし、パネル取付シャフト１００を双方向クラッチ１２０の出力軸に直接接続してもよい。
【００４９】
次に、このチャージ機１におけるチャージ処理にかかる動作について説明する。図９は、チャージ処理を示すフローチャートである。
【００５０】
チャージ機１は、チャージ媒体載置台４１に載置されたチャージ媒体を検出するか、紙幣投入口５１における紙幣の投入を検知するのを待っている（ｓ１、ｓ２）。媒体処理ユニット４は、一定時間毎にポーリングを行っており、このポーリングに対する応答の受信により、チャージ媒体載置台４１に載置されたチャージ媒体を検出する。また、紙幣処理ユニット５は、紙幣投入口５１に設けたセンサにより、投入紙幣の有無を検知している。
【００５１】
チャージ機１は、チャージ媒体載置台４１に載置されたチャージ媒体の検出、または、紙幣投入口５１における紙幣の投入検知により、取引（チャージ取引）を開始する（ｓ３）。チャージ機１は、この時点でチャージ媒体載置台４１にチャージ媒体が未載置であれば、これ以降に載置されるチャージ媒体の検出や、紙幣投入口５１における紙幣の投入を受け付けながら、操作パネル３０の傾斜角調整処理を実行する（ｓ４）。また、チャージ機１は、ｓ４にかかる処理に並行して、媒体処理ユニット４がチャージ媒体載置台４１に載置されたチャージ媒体との無線通信により、このチャージ媒体が記憶している媒体情報の読み取り等にかかる処理も行う。
【００５２】
ｓ４にかかる操作パネル３０の傾斜角調整処理について詳細に説明する。図１０は、この傾斜角調整処理を示すフローチャートである。
【００５３】
操作ユニット３は、表示部３２が操作パネル３０の表示器３０ａに傾斜角変更確認画面を表示する（ｓ１１）。この傾斜角変更確認画面は、操作者に対して、操作パネル３０の傾斜角を変更するかどうか（現在の傾斜角のままでよいか、傾斜角を変更するか）にかかる入力操作を促す画面であり、例えば「変更要」、「変更不要」の２つのボタンを表示し、操作者にいずれかのボタンの押下を促す画面である。
【００５４】
操作ユニット３は、操作パネル３０の傾斜角を変更しない旨の入力操作を受け付けると（ｓ１２）、このｓ４にかかる処理を終了する。このｓ１２にかかる操作者の入力操作は、入力操作検出部３３においてが検出される。
【００５５】
操作ユニット３は、操作パネル３０の傾斜角を変更する旨の入力操作を受け付けると（ｓ１２）、画像処理部３４がカメラ３４ａで撮像したチャージ機１本体正面の撮像画像を処理し、この撮像画像上における、撮像されている操作者の顔画像の位置を検出する（ｓ１３）。カメラ３４ａは、上述したように操作パネル３０とともに回転し、撮像面の傾斜角が変化する。したがって、操作パネル３０をチャージ機１本体の背面側に倒すにつれて、カメラ３４ａで撮像した操作者の顔画像は、撮像画像上の上方に移動し、反対に、操作パネル３０をチャージ機１本体の正面側に倒すにつれて、カメラ３４ａで撮像した操作者の顔画像は、撮像画像上の下方に移動する。すなわち、カメラ３４ａで撮像した操作者の顔画像は、操作パネル３０の傾斜角の変化にともなって、撮像画像上において上下方向に変化する。
【００５６】
操作ユニット３は、ｓ１３で検出した撮像画像上における操作者の顔画像の位置に応じて、モータ３５ａの回転方向（操作パネル３０の傾斜角の変更方向）を決定する（ｓ１４）。具体的には、予め撮像画像上における操作者の顔画像の基準位置を決めており、ｓ１３で検出した操作者の顔画像の位置がこの基準位置よりも下方であれば、操作パネル３０をチャージ機１本体の背面側に倒す方向をモータ３５ａの回転方向に決定する。反対に、ｓ１３で検出した操作者の顔画像の位置がこの基準位置よりも上方であれば、操作パネル３０をチャージ機１本体の正面側に倒す方向をモータ３５ａの回転方向に決定する。
【００５７】
操作ユニット３は、モータ駆動部３５がモータ３５ａの回転を開始する（ｓ１５）。ｓ１５では、ｓ１４で決定した方向にモータ３５ａを回転させる。
【００５８】
操作ユニット３は、入力操作検出部３３が操作パネル３０における操作者の入力操作を検出するか（ｓ１６）、操作パネル３０の傾斜角が上限、または下限に達するか（ｓ１７）、撮像画像上における操作者の顔画像の位置が基準位置に達するか（ｓ１８）、のいずれかの状態を検出するのを待つ。
【００５９】
操作者は、操作パネル３０の傾斜角の変化を停止したいときに、操作パネル３０を操作する。ｓ１６では、表示器３０ａにおける指定した一部の画面領域に対する操作を検出しているのではなく、表示器３０ａの画面全体を１つのボタンとみなし、操作者の操作を検出する。したがって、操作者は、操作パネル３０の傾斜角の変化を停止させる入力操作が簡単に行える。
【００６０】
また、操作ユニット３は、特に図示していないが、操作パネル３０が、チャージ機１本体の正面側に倒せる傾斜角のリミット（上述の上限）に達したことを検知する上限センサ、および、チャージ機１本体の背面側に倒せる傾斜角のリミット（上述の下限）に達したことを検知する下限センサを備えている。ｓ１７では、この上限センサ、および下限センサの検出出力を監視することで、操作パネル３０の傾斜角が上限、または下限に達したかどうかを判定している。
【００６１】
また、カメラ３４ａは、１秒間に数十フレーム（１０〜３０フレーム）の撮像画像を画像処理部３４に入力する。ｓ１８では、画像処理部３４がカメラ３４ａで撮像したチャージ機１本体正面の撮像画像をフレーム毎に順次処理し、この撮像画像上における、撮像されている操作者の顔画像の位置が基準位置に達したかどうかを判定している。
【００６２】
操作ユニット３は、ｓ１８で撮像画像上における操作者の顔画像の位置が基準位置に達したと判定すると、モータ駆動部３５によるモータ３５ａの回転を停止し（ｓ１９）、本処理を終了する。
【００６３】
一方、操作ユニット３は、ｓ１６で操作パネル３０における操作者の入力操作を検出した場合、または、ｓ１７で操作パネル３０の傾斜角が上限、または下限に達したことを検出した場合、モータ駆動部３５によるモータ３５ａの回転を停止する（ｓ２０）。操作ユニット３は、表示部３２が操作パネル３０の表示器３０ａに傾斜角確認画面を表示する（ｓ２１）。ｓ２１では、操作パネル３０の表示器３０ａに傾斜角を手動で調整するかどうか（現在の傾斜角のままでよいか、傾斜角を手動で変更するか）にかかる入力操作を促す画面であり、例えば「手動調整要」、「手動調整不要」の２つのボタンを表示し、操作者にいずれかのボタンの押下を促す画面（傾斜角確認画面）を表示する。
【００６４】
操作ユニット３は、操作パネル３０の傾斜角の手動調整不要にかかる入力操作を受け付けると（ｓ２２）、このｓ４にかかる処理を終了する。このｓ２２にかかる操作者の入力操作は、入力操作検出部３３において検出される。
【００６５】
一方、操作ユニット３は、操作パネル３０の傾斜角の手動調整要にかかる入力操作を受け付けると（ｓ２２）、表示部３２が操作パネル３０の表示器３０ａに手動調整画面を表示し（ｓ２３）、手動調整処理を開始する（ｓ２４）
ｓ２３では、操作パネル３０をチャージ機１本体の背面側に傾斜させるときに操作する「△」、操作パネル３０をチャージ機１本体の正面側に傾斜させるときに操作する「▽」、および手動調整完了を入力するときに操作する「完了」の３つのボタンを表示し、操作者にいずれかのボタンの押下を促す画面（手動調整画面）を表示する。
【００６６】
ｓ２４では、入力操作検出部３３が「△」ボタンの操作を検出している間、モータ駆動部３５が操作パネル３０をチャージ機１本体の背面側に倒す方向にモータ３５ａを回転させる。また、入力操作検出部３３が「▽」ボタンの操作を検出している間、モータ駆動部３５が操作パネル３０をチャージ機１本体の正面側に倒す方向にモータ３５ａを回転させる。ただし、入力操作検出部３３が「△」ボタンの操作を検出していても、操作パネル３０の傾斜角が上限に達していれば、モータ駆動部３５はモータ３５ａを回転させない。また、入力操作検出部３３が「▽」ボタンの操作を検出していても、操作パネル３０の傾斜角が下限に達していれば、モータ駆動部３５はモータ３５ａを回転させない。
【００６７】
操作ユニット３は、入力操作検出部３３において、手動調整完了にかかる「完了」ボタンの入力操作が検出されると、手動調整完了と判断し（ｓ２５）、本処理を終了する。
【００６８】
このように、このチャージ機１は、操作者の顔の位置に応じて操作パネル３０の傾斜角を自動的に調整できる。また、操作者は、操作パネル３０の傾斜角を手動で調整することもできる。
【００６９】
図９に戻って、チャージ機１は、ｓ４にかかる操作パネル傾斜角調整処理を完了すると、チャージ処理にかかる入力操作の受け付けを開始する（ｓ５）。ｓ５では、入力操作検出部３３が、紙幣投入口５１において投入された紙幣の合計金額以内で、チャージ媒体載置台４１に載置されているチャージ媒体に付与する価値（金額）の入力操作を受け付ける。また、今回のチャージ処理にかかる取引内容を印字した明細票の発行有無にかかる入力操作を受け付ける。
【００７０】
なお、ここでは、操作者が、チャージ媒体載置台４１に対するチャージ媒体の載置、および紙幣投入口５１における紙幣の投入にかかる操作をすでに完了しているものとして説明しているが、これらのいずれかの操作が完了していなければ、チャージ機１は完了していない操作も受け付ける。
【００７１】
上述したように、操作パネル３０は、双方向クラッチ１２０をモータ３５ａとパネル取付シャフト１００との間に配置しているので、操作パネル３０における操作者の入力操作による、操作パネル３０の傾斜角が変化するのを防止できる。したがって、操作者は、操作パネル３０の傾斜角が、自分にあった傾斜角に保持されつづけるので、操作性が低下することがない。
【００７２】
チャージ機１は、ｓ５で受け付けた操作者の入力操作に応じてチャージ処理を行う（ｓ６）。ｓ６では、媒体処理ユニット４が、チャージ媒体載置台４１に載置されているチャージ媒体との無線通信により、このチャージ媒体が記憶する価値の残高を、今回チャージする金額を加算した価値に書き換える。
【００７３】
チャージ機１は、必要に応じて紙幣処理ユニット５による釣銭の放出や、明細票発行ユニット６による明細票の発行にかかる処理を行い（ｓ７）、本処理を終了する。
【００７４】
また、チャージ機１は、チャージ処理の完了後、ｓ１でチャージ媒体載置台４１に載置されたチャージ媒体を検出することなく、且つｓ２で紙幣投入口５１における紙幣の投入を検知することがない状態が、予め定めた時間（例えば、５〜１０秒）経過すると、操作パネル３０の傾斜角をデフォルトに設定するデフォルト処理を行う。操作パネル３０の傾斜角のデフォルトは、例えば図１に示す傾斜角である。このデフォルト処理は、操作パネル３０の傾斜角を上限、または下限まで回転させ、その後、モータ駆動部３５がモータ３５ａを予め設定している回転量だけ回転させる処理である。
【００７５】
このように、チャージ処理を行う毎に、操作パネル３０の傾斜角をデフォルト位置に戻さない構成としているので、利用者が多いときにおける、利用者の待ち時間を効率的に短縮できる。
【００７６】
なお、図１０に示した傾斜角調整処理は、ｓ１９でモータの回転を停止した後に、ｓ２１以降の処理を実行する処理としてもよい。また、ｓ１２で操作パネル３０の傾斜角を変更する旨の入力操作を受け付けたときに、自動調整とするか、手動調整とするかについての入力操作を受け付ける処理としてもよい。この場合、手動調整にかかる入力操作を受け付けた場合、ｓ２２以降の処理を実行すればよい（自動調整にかかる入力操作を受け付けた場合は、ｓ１３以降の処理を実行すればよい。）。
【００７７】
また、この発明にかかる操作ユニットは、上述したチャージ機１に限らず、金融機関の店舗に設置されている現金自動預け払い機（ＡＴＭ）や、駅構内に設置されている精算機、オフィスで利用されている複写機やファックス等の事務機器等、様々な種類の自動機で利用できる。
【符号の説明】
【００７８】
１…チャージ機
３…操作ユニット
３０…操作パネル
３０ａ…表示器
３０ｂ…タッチパネル
３１…制御部
３２…表示部
３３…入力操作検出部
３４…画像処理部
３４ａ…カメラ
３５…モータ駆動部
３５ａ…モータ
１００…パネル取付シャフト
１１０…駆動シャフト
１２０…双方向クラッチ
１３０…第１の連結シャフト
１４０…第２の連結シャフト
１０１、１３１、１４１、１４２…ギア
【図１】
2014170338.tif 000003
【図２】
2014170338.tif 000004
【図３】
2014170338.tif 000005
【図４】
2014170338.tif 000006
【図５】
2014170338.tif 000007
【図６】
2014170338.tif 000008
【図７】
2014170338.tif 000009
【図８】
2014170338.tif 000010
【図９】
2014170338.tif 000011
【図１０】
2014170338.tif 000012